(57)【要約】【課題】現在のデジタル機器やＰＣ等は、いくつもの種類のメディア（メモリカード等）に対応している。しかし、現在のデジタル機器は、メモリカードの挿入口が多いために迷ったり、後面にあって挿入場所が分かりづらかったり、暗い場所では分かりにかったりという問題があり、スムーズにメモリカードを機器のメモリカード挿入口に挿入できない等の問題がある。【解決手段】メモリカード本体部と各記録媒体を見分ける無線受信部と、記録媒体の形状・方向を判断する図形判定部により検知し、制御部１４０によってカードの種類と挿入口に対する向きの判定を行い、それぞれの挿入パターンに対し数種類のＬＥＤのランプを表示する。また、読み込みモードや警報部なども付けることで、使用者に分かりやすい表示方法が実現できる。【選択図】図１
2008040523.tif 000002
【特許請求の範囲】
【請求項１】
記録媒体の種類情報を記録した無線ＩＣタグを付した前記記録媒体が接近したときに、前記記録媒体の存在および前記種類情報を検出する無線受信検出部と、前記無線受信検出部の出力に基づいて前記記録媒体の状態を通知する状態通知部とを有する記録媒体挿入補助装置。
【請求項２】
記録媒体の種類情報を記録した無線ＩＣタグを付した前記記録媒体が接近したときに、前記記録媒体の存在および前記種類情報を検出する無線受信検出部と、視覚センサにより前記記録媒体の形状および記録媒体挿入口に対する向きを検出する形状向き検出部と、前記無線受信検出部の出力および前記形状向き検出の出力に基づいて前記記録媒体の状態を通知する状態通知部とを有する記録媒体挿入補助装置。
【請求項３】
前記状態通知部は、前記無線受信検出部の出力および前記形状向き検出部の出力組み合わせに応じて異なる色彩の照明を出力する請求項２記載の記録媒体挿入補助装置。
【請求項４】
前記状態通知部は、前記無線受信検出部の出力に応じて異なる警報音を出力する請求項２記載の記録媒体挿入補助装置。
【請求項５】
前記無線受信検出部が前記記録媒体の存在および種類情報を検出する位置に比して記録媒体が記録媒体挿入口にさらに接近した位置にある場合に記録媒体の記録内容を読み出す記録内容読出部をさらに有する請求項２記載の記録媒体挿入補助装置。
【請求項６】
前記記録媒体が記録媒体挿入口に挿入された場合に記録媒体の記録内容を読み出した日付を記録できる記憶部を有する請求項２記載の記録媒体挿入補助装置。
【請求項７】
前記状態通知部は、前記無線受信検出部時、登録している記録媒体のみを検出し、それ以外は読込み・書込みができない防止機能を有する請求項２記載の記録媒体挿入補助装置。
【発明の詳細な説明】
【技術分野】
【０００１】
本発明は、記録媒体を認識して、認識結果をＬＥＤの点灯でお知らせする記録媒体挿入補助装置に関するものである。
【背景技術】
【０００２】
近年、ＳＤカード（Ｓｅｃｕｒｅ  Ｄｉｇｉｔａｌ  ｍｅｍｏｒｙ  ｃａｒｄ）などの様々な種類の高速・大容量の記録媒体（メモリカード）が登場している。挿入口にメモリカードが入ると機器がメモリカードを検知してＴＶ等に伝えるシステムや、非接触のＩＣカードをかざすとその信号を検知して点灯させるシステムは、すでに商品化されている。
【０００３】
しかし、メモリカードの種類も多く、機器のメモリカード挿入口も小型で似通っており、機器の後面や暗い場所ではメモリカード挿入口の場所が分からないといった問題があり、メモリカードの挿入等を補助してくれる機能が要望されている。
【０００４】
また、赤外線センサ等の監視装置からセンサデータが供給されると人体の有無を検知したと判定し、カメラの電源が入るといった家庭用監視システムに適用する手法が提案されている（特許文献１参照）。これは人が近づくと、赤外線が反応し、カメラの電源がオンし、画像データを通知するものである。つまり、ある対象物にセンサが反応してデータを通知するものである。
【特許文献１】特開２００５−３９５４８号公報
【発明の開示】
【発明が解決しようとする課題】
【０００５】
しかしながら、従来の監視システムはモノではなく人に対してのものがほとんどであり、このような判定システムを別の用途に使用できないかが期待されている。また、現在のデジタル機器やＰＣ等は、いくつもの種類の記録媒体（メモリカード等）に対応している。
【０００６】
また現在は、メモリカードの挿入口が多いために迷ったり、後面にあって挿入場所が分かりづらかったり、暗い場所では分かりにくかったりという問題があり、スムーズにメモリカードを機器のメモリカード挿入口に挿入できない等の問題が発生する。
【課題を解決するための手段】
【０００７】
上記目的を達成するために、本発明のシステムは、メモリカード本体部と各記録媒体を見分ける無線受信検出部、メモリカードの挿入口を特定する制御部、記録媒体の方向を判断する制御判定部、ＣＣＤカメラを用いた図形判定部、記録処理部、ＬＥＤ等の表示部、ディスプレイ部、警報部を備えている。
【０００８】
そこで本発明は、記録媒体の種類情報を記録した無線ＩＣタグを付した記録媒体が接近したときに、記録媒体の存在および種類情報を検出する無線受信部が各記録媒体を認識し、無線受信検出部の出力に基づいて記録媒体の状態を通知する状態通知部の表示部（ＬＥＤ）が点灯し、使用者に知らせるシステムを提供することを目的とする。
【０００９】
また、視覚センサにより記録媒体の形状および記録媒体挿入口に対する向きを検出する形状向き検出部を有し、無線受信検出部の出力および形状向き検出の出力に基づいて記録媒体の状態を通知するシステムである。
【００１０】
本構成によって、記録媒体の種類と向き等を無線受信部や図形判定部で判定することができるので、以下の挿入パターンによって使用者に分かりやすい表示方法が実現できる。
【００１１】
その表示方法について説明する。無線受信検出部で記録媒体検出時、その記録媒体が登録されている場合は図形生成部へ、登録されていないメモリカードの場合は異なる警報音を出力する。さらに、挿入口付近で向きが一致している場合は、青色のＬＥＤを点灯させ、挿入口付近で向きが一致していない場合は、赤色のＬＥＤを点灯する。
【００１２】
さらに本発明は、メモリ部を用意して、記録媒体が記録媒体挿入口に挿入された場合に記録媒体の記録内容を読み出した日付を記録できる記憶部を有している。
【発明の効果】
【００１３】
以上のように本発明のシステムによれば、記録媒体（メモリカード）を活用するいろいろな機器で使用が可能である。また、機器に詳しくないお年寄りや子供にも分かりやすく、ＵＤの効果が期待できる。
【発明を実施するための最良の形態】
【００１４】
以下本発明を実施するための最良の形態について、図面を参照しながら説明する。
【００１５】
（実施の形態１）
本発明の実施の形態１にかかるメモリカード挿入補助装置は、ＴＶ受信機にメモリカードを挿入するときにメモリカードの挿入を誘導する装置である。図１に本発明の実施の形態１におけるメモリカード挿入補助装置の概念図を示す。本発明のメモリカード挿入補助装置は、メモリカード挿入補助装置１００とメモリカード２００でデータ通信を行う。
【００１６】
メモリカード挿入補助装置１００は、メモリカードに付けられたＩＣタグ２１０から発する無線を検知する無線受信検出部１１０があり、更に、ＩＣタグ２１０からの情報を判定する構成を内蔵している装置である。
【００１７】
メモリカード２００は、例えば、ＳＤカードである。そして、メモリカード上にメモリカードの種類を識別ＩＤや個別ＩＤ、メモリ機能の情報が入った無線対応のＩＣタグ２１０が付けられている。無線対応のＩＣタグ２１０とは、パッシブタグのことである。
【００１８】
次に、メモリカード挿入補助装置１００の構成について詳細に説明する。図２は本発明の実施の形態１におけるメモリカード挿入補助装置のブロック図である。図２のようにメモリカード挿入補助装置１００は、無線受信検出部１１０、警報音部１１１、制御部１２０、第１のＬＥＤ表示部１２１、図形判定部１３０、制御判定部１４０、第２のＬＥＤ表示部１４１、メモリ部１４２、ディスプレイ部１４３で構成される。
【００１９】
無線受信検出部１１０は、一定周波数の電波をメモリカード２００のＩＣタグ２１０へ送り、ＩＣタグ２１０からメモリカードのＩＣタグ情報を受信し、また、読み出したメモリカードのＩＣタグ情報からどのような種類のメモリカード（記録媒体）かを検出する。そして、メモリカードの種類の情報を制御部１２０へ電気信号として送る。また、無線受信検出部１１０は受信したメモリカードのＩＣタグ情報がメモリカード挿入補助装置１００にメモリカード挿入口がないメモリカードの場合、もしくは、セキュリティの観点で、反応したメモリカードが登録されていないメモリカードの場合は、警報音部１１１で警告音を鳴らす指示をする。
【００２０】
警報部１１１は、無線受信検出部１１０の指示によりメモリカード挿入補助装置１００に適さないメモリカード２００のときは警告音を出力する。
【００２１】
制御部１２０は、無線受信検出部１１０からメモリカード２００の情報信号が入力され、どの種類のメモリカード２００の信号が入力されたかを判定し、そのメモリカード２００にあったメモリカード挿入口の図形判定部（ＣＣＤカメラ）１３０へ制御信号を通知すると共に、第１のＬＥＤ表示部１２１へＬＥＤ点灯の制御信号を送信する。
【００２２】
第１のＬＥＤ表示部１２１は、メモリカード挿入口付近に備えられており、制御部１２０の指示により、メモリカード２００の挿入を導くように適応するメモリカード挿入口を知らせるためＬＥＤを点灯させる。
【００２３】
図形判定部１３０は、制御部１２０から制御信号が入力され、その制御信号からメモリカード挿入補助装置１００に備えられた複数のメモリカード挿入口から適したメモリカード挿入口を選択し、図３のように選択されたメモリカード挿入口に取り付けられた図形判定部（ＣＣＤカメラ）１３０で形状を認識する。図３はＣＣＤカメラで認識する測定系と判定方法の概念図である。図３（ａ）はメモリカード挿入補助装置１００の前面、図３（ｂ）はメモリカード挿入補助装置１００の前面、図３（ｃ）は図形判定部からメモリカードを見たイメージである。
【００２４】
制御判定部１４０は、図形判定部１３０である小型ＣＣＤカメラで制御信号にあったメモリカード２００の形状を確認し、メモリ部１４２に記憶している各メモリカード形状のデフォルトの図と比較を行う。また、図３のように、メモリカード２００がメモリカード挿入口に近づいた時の図形位置がデフォルトの図（挿入口に対し挿入向きが一致している正常な場合の図）とどれだけｘ、ｙ方向と差があるのかを制御判定部１４０で読み取り、図３の４つの斜線領域（９０度以内）でｘ、ｙ方向にデフォルトの図面位置に補正することで、４パターンに分けられる。そして、挿入口内に取り付けられる電界センサでもある無線受信検出部１１０で４つの領域のパッシブタグからの電波受信強度を確認し、４領域のどこからの電界強度が強いかを判定することでメモリカードの向きを特定して、デフォルトの図と一致しているか、一致していないのかの信号を出力し、第２のＬＥＤ表示部１４１へ送る。
【００２５】
第２のＬＥＤ表示部１４１は、制御判定部１４０からメモリカードの向きがデフォルトの向きと一致しているか、一致していないかの信号を受け取り、一致していれば青色のＬＥＤを点灯させ、一致していなければ赤色のＬＥＤを点灯させる。
【００２６】
メモリ部１４２は、各メモリカード形状のデフォルトの図を保存しており、制御判定部１４０の指示により、各メモリカード形状のデフォルトの図を制御判定部１４０に出力する。また、メモリ部１４２は制御判定部１４０からメモリカードの向きがデフォルトと一致しているという信号が入力されると、メモリカードが挿入された日時が記録される部分でもある。更に、メモリ部１４２はメモリカード２００の挿入後にメモリカードの中身を保存する部分でもある。つまり、メモリ部１４２には、デフォルトの形状図と日時などを記録する領域が存在する。
【００２７】
ディスプレイ部１４３は、制御判定部１４０でメモリカード２００の向きを判定した後の状態を図４や図５のように表示する。図４はデフォルト図と一致しない場合の制御判定部での方向表示画面図である。メモリカード２００の向きが、デフォルト図と一致していない場合は、画面上に図４のような向きを知らせる表示を出力する。この画面上の方向指示は、挿入口に対してＸ，Ｙ方向の２次元でどちらに回転するかを利用者が挿入口に対して行う指示です。また、図５はデフォルト図と一致した場合の制御判定部での方向表示画面図である。メモリカード２００の向きが、デフォルト図と一致している場合は、図５のようにメモリカード２００が挿入される前に読み込みモードに画面が変わる。
【００２８】
上記のように構成された本発明のシステムの動作について、図６を参照しながら説明する。
【００２９】
図６は本発明の実施の形態１における動作を示すフローチャートである。まず、ＩＣタグ２１０が付けられているメモリカード２００をメモリカード挿入口に近づけると、以前にメモリカード挿入補助を行ったときに蓄積されているデータをクリアする（Ｓ１００）。そして、無線受信検出部１１０はメモリカード２００がメモリカード挿入補助装置１００に挿入できるメモリカード２００であるかどうかメモリカードの種類判定を行う（Ｓ１１０）。
【００３０】
ステップＳ１１０で挿入しようとするメモリカードがメモリカード挿入補助装置１００に挿入できないメモリカードであると判断した場合、警告音部１１１から警報音を発生させる（Ｓ１１２）。
【００３１】
ステップＳ１１０で挿入しようとするメモリカードがメモリカード挿入補助装置１００に挿入できるメモリカードであると判断した場合、そのメモリカード２００に対応するメモリカード挿入口を制御部１２０で特定し、メモリカード挿入口周辺にある第１のＬＥＤ表示部１２１がＬＥＤ表示される（Ｓ１１１）。
【００３２】
次に、第１のＬＥＤ表示部１２１の点灯後、そのメモリカード挿入口内部の小型ＣＣＤカメラの電源がＯＮし、メモリカード２００の向きについて判定処理（Ｓ１２０）を行う。判定処理については図７で詳細を説明する。
【００３３】
ステップのＳ１２０判定処理後、青色のＬＥＤ表示を行い（Ｓ１３０）、メモリカード２００がメモリカード挿入口に挿入される前に、ディスプレイ部１４３は読み込みモードに切り替わり、挿入判定を行う（Ｓ１４０）。ステップＳ１４０でメモリカードが挿入された場合、ＴＶ画面にメモリカードの内容・データが表示される（Ｓ１５０）。Ｓ１４０でメモリカードの挿入を中止した場合は、蓄積データをクリアにして、再度同様の操作を繰り返す（Ｓ１００）。
【００３４】
ステップＳ１２０の判定処理について説明する。図７は、図６のステップＳ１２０の判定処理（向き）の動作を示すフローチャートである。
【００３５】
メモリカード挿入口を特定した後、小型ＣＣＤカメラを用いてメモリカード２００の形状の特徴量を制御部１２０で算出する（Ｓ２１０）。そして、制御部でメモリカード２００の標準寸法を記憶しており、そのデフォルト寸法からＸ，Ｙ方向にどれだけ差があるのかを特徴量として算出し、標準値より差があるのかを判定する（Ｓ２２０）。デフォルト寸法と差がある場合は、カメラの認識範囲３６０度をメモリカード挿入口の中心を原点として水平方向を０度としてとき、４５〜１３５度、１３５〜２２５度、２２５度から３１５度、３１５度〜３６０度と０〜４５度の９０度間隔で４つの領域範囲で分けているため、Ｘ，Ｙ方向に補正する（Ｓ２３０）。また、メモリカード２００には無線用のＩＣタグ２１０が装着されているため、図形判定部１３０であるＣＣＤカメラの認識した４区分のどこにあり、受信強度がどの領域で強いかを一般的な無線受信検出部１１０で判定し、向きの判定処理ができる（Ｓ２４０）。次に、挿入されるメモリカード２００の向きが正しいかを判定する（Ｓ２５０）。
【００３６】
そして、ステップＳ２５０で向きの判定が正しい場合は、ＬＥＤ表示は青色を出力する（Ｓ１３０）。ステップＳ２５０で向きの判定が正しくない場合は、ＬＥＤ表示は赤色を表示する（Ｓ２５２）。そして、ＬＥＤ表示が赤色の場合、ディスプレイ部１４３に現在の挿入しようとする位置からデフォルト向きにする方法を図３に示すように視覚的に表示させ（Ｓ２６０）、向きを表示のとおりに変えると、Ｓ２１０から判定処理をやりなおす。
【００３７】
かかる構成によれば、ＴＶ裏面や向きが分かりづらいメモリカードのメモリカード挿入口にメモリカードを挿入する際、無線受信検出部と図形判定部（ＣＣＤカメラ）、無線受信検出部（電界強度センサ）を用いて、媒体の種類と向きを判定してユーザーに色覚的に知らせることができ、ユニバーサルデザインの観点から、飛躍的にさまざまなデジタル機器との融合が分かりやすく、使いやすくなる。
【００３８】
なお、本実施の形態において、メモリカード２００として、ＳＤカードを例に挙げたが、ＳＤカードは本発明のメモリカードの一例であり、ＵＳＢメモリやＰＣカード等、装置に全体或いは一部分を挿入する必要性がある他の記録媒体としてもよい。
【００３９】
なお、本実施の形態において、メモリカードが挿入される機器としてとしてメモリカード挿入補助装置１００としたが、メモリカード挿入補助装置１００は本発明の実施の形態の１例であり、メモリカードの挿入口を備えたテレビ受信機やデジタル機器のパーソナルコンピューターやデジタルカメラ等、他のデジタル受信機器としても良い。
【産業上の利用可能性】
【００４０】
本発明のＩＣタグを利用したメモリカード検出機能とその判定法は、機器に詳しくないお年寄りや子供にも分かりやすく、ＵＤの効果が期待できるので、メモリカード挿入口部が分かりづらい複数のポートを持つデジタル機器に対して有効である。
【００４１】
また、ＴＶ等の機器でメモリカードを活用した生活が広がるため、本発明のシステムは有効であると考える。
【図面の簡単な説明】
【００４２】
【図１】本発明の実施の形態１におけるメモリカード挿入補助装置の概念図
【図２】本発明の実施の形態１におけるメモリカード挿入補助装置のブロック図
【図３】カメラで認識する測定系と判定方法の概念図
【図４】デフォルト図と一致しない場合の制御判定部での方向表示画面図
【図５】デフォルト図と一致した場合の制御判定部での方向表示画面図
【図６】本発明の実施の形態１における動作を示すフローチャート
【図７】図６のステップＳ１２０の判定処理（向き）の動作を示すフローチャート
【符号の説明】
【００４３】
１００    メモリカード挿入補助装置
１１０    無線受信検出部
１１１    警報音部
１２０    制御部
１２１    第１のＬＥＤ表示部
１３０    図形判定部
１４０    制御判定部
１４１    第２のＬＥＤ表示部
１４２    メモリ部
１４３    ディスプレイ部
２００    メモリカード
２１０    ＩＣタグ
【図１】
2008040523.tif 000003
【図２】
2008040523.tif 000004
【図３】
2008040523.tif 000005
【図４】
2008040523.tif 000006
【図５】
2008040523.tif 000007
【図６】
2008040523.tif 000008
【図７】
2008040523.tif 000009